(57)【特許請求の範囲】
【請求項１】
ネットワーク装置からネットワークの状態情報を取得する状態情報取得部と、
複数の監視装置と通信可能であって前記状態情報を収集する収集装置を識別する収集装置情報を記憶する管理装置内に設けられる、前記監視装置によりアクセス可能なデータベースから、前記収集装置情報を取得する収集装置情報取得部と、
前記収集装置情報に基づいて複数の収集装置の負荷情報を取得する負荷情報取得部と、
前記負荷情報に基づいて前記複数の収集装置からいずれかを選択する収集装置選択部と、
前記収集装置選択部により選択された収集装置へ前記監視装置を識別する監視装置情報を通知する監視装置情報通知部と、を備える監視装置であって、
新たな監視装置を設置するに際し、
新たな監視装置における前記収集装置情報取得部は前記管理装置に対し収集装置情報要求信号を送信しその応答として前記管理装置より収集装置情報を取得し、取得した収集装置情報をもとに新たな監視装置における前記負荷情報取得部から複数の当該収集装置に対して負荷情報要求信号を送信し、その応答として受信した各該収集装置からの負荷情報に基づいて、新たな監視装置における前記収集装置選択部により１の収集装置を選択し、新たな監視装置における前記監視装置情報通知部から、選択した収集装置に対して新たな監視装置の登録を要求して、該収集装置に該登録を行う、ことを特徴とする監視装置。
【請求項２】
前記複数の収集装置に対して、応答信号を要求する応答信号要求部を備え、
前記収集装置選択部は、複数の前記収集装置の負荷量が所定範囲内であるとき、そのいずれかを前記応答信号の遅延時間に基づいて選択することを特徴とする請求項１に記載の監視装置。
【請求項３】
監視装置と収集装置とを備える状態監視システムであって、
前記監視装置は、
ネットワーク装置からネットワークの状態情報を取得する状態情報取得部と、
複数の監視装置と通信可能であって前記状態情報を収集する収集装置を識別する収集装置情報を記憶する管理装置内に設けられる、前記監視装置によりアクセス可能なデータベースから、前記収集装置情報を取得する収集装置情報取得部と、
前記収集装置情報に基づいて複数の収集装置の負荷情報を取得する負荷情報取得部と、
前記負荷情報に基づいて前記複数の収集装置からいずれかを選択する収集装置選択部と、
前記収集装置選択部により選択された収集装置へ前記監視装置を識別する監視装置情報を通知する監視装置情報通知部と、を備え、新たな監視装置を設置するに際し、
新たな監視装置における前記収集装置情報取得部は前記管理装置に対し収集装置情報要求信号を送信しその応答として前記管理装置より収集装置情報を取得し、取得した収集装置情報をもとに新たな監視装置における前記負荷情報取得部から複数の当該収集装置に対して負荷情報要求信号を送信し、その応答として受信した各該収集装置からの負荷情報に基づいて、新たな監視装置における前記収集装置選択部により１の収集装置を選択し、新たな監視装置における前記監視装置情報通知部から、選択した収集装置に対して新たな監視装置の登録を、要求して、該収集装置に該登録を行い、
前記収集装置は、
該収集装置が収集する前記状態情報の送信元の前記監視装置を記憶する監視装置データベースと、
前記監視装置情報通知部により通知された監視装置情報が指定する監視装置を前記監視装置データベースに登録する監視装置登録部と、備えることを特徴とする状態監視システム。
【請求項４】
分析装置を更に備え、
該分析装置は、
前記収集装置により収集された前記状態情報を前記収集装置から受信する状態情報受信部と、
該分析装置が収集する前記状態情報の送信元の前記収集装置の収集装置情報を記憶する収集装置データベースと、
前記収集装置からの要求信号に応じて、前記収集装置データベースに前記収集装置情報を登録する収集装置情報登録部と、
前記収集装置データベースに記憶された収集装置情報を前記収集装置情報取得部へ通知する収集装置情報通知部と、
を備えることを特徴とする請求項３に記載の状態監視システム。
【請求項５】
前記監視装置は、認証情報を前記収集装置へ送信する認証情報送信部を備え、
前記収集装置は、前記認証情報に基づいて前記監視装置の認証処理を行う認証部と、を備え、
前記認証処理によって許可された監視装置のみ前記監視装置データベースに登録されることを特徴とする請求項３又は４に記載の状態監視システム。
【請求項６】
ネットワーク状態を監視する監視装置と、該監視装置から送信される前記ネットワークの状態情報を収集する収集装置の機器設定方法であって、
ネットワーク装置からネットワークの状態情報を取得する処理と、
複数の監視装置と通信可能であって収集装置を識別する収集装置情報を記憶する管理装置内に設けられる、前記監視装置によりアクセス可能なデータベースから、前記収集装置情報を収集装置情報取得部により取得する処理と、
前記収集装置情報に基づいて負荷情報取得部により複数の収集装置の負荷情報を取得する処理と、
収集装置選択部により、前記負荷情報に基づいて前記複数の収集装置からいずれかを選択する処理と、
選択された前記収集装置を、前記状態情報の送信先として記憶する処理と、
監視装置情報通知部により、前記選択された収集装置へ前記監視装置を識別する監視装置情報を通知する処理と、を前記監視装置に実行させる装置設定方法において、新たな監視装置を設置するに際し、
新たな監視装置における前記収集装置情報取得部は前記管理装置に対し収集装置情報要求信号を送信しその応答として前記管理装置より収集装置情報を取得し、取得した収集装置情報をもとに新たな監視装置における前記負荷情報取得部から複数の当該収集装置に対して負荷情報要求信号を送信し、その応答として受信した各該収集装置からの負荷情報に基づいて、新たな監視装置における前記収集装置選択部により１の収集装置を選択し、新たな監視装置における前記監視装置情報通知部から、選択した収集装置に対して新たな監視装置の登録を要求して、該収集装置に該登録を行う、ことを特徴とする装置設定方法。
【発明の詳細な説明】
【技術分野】
【０００１】
本明細書で論じられる実施態様は、ネットワークの状態監視システムに関する。
【背景技術】
【０００２】
ネットワークを形成する複数のネットワーク装置からネットワークの状態情報を収集し、分析を行うネットワークの状態監視システムが知られている。状態監視システムでは、各ネットワーク装置にネットワークプローブと呼ばれる監視装置を配置して、各ネットワーク装置からネットワーク情報を取得する。例えば、監視装置は、通信経路の転送時間やパケットロスの状態に関する状態情報をネットワーク装置から取得する。監視装置が取得した状態情報は、収集装置として働くサーバ装置によって収集される。
【０００３】
なお、負荷分散システムの管理サーバのサーバリスト管理部が、サーバの稼働状態や負荷の状況を参照してクライアント端末用管理サーバのアクセス先とするサーバを選定し、サーバリストを生成してクライアント端末用管理サーバへ送信する技術が知られている。
【先行技術文献】
【特許文献】
【０００４】
【特許文献１】特開２００３−２５６３０３号公報
【発明の概要】
【発明が解決しようとする課題】
【０００５】
監視装置を配置する従来の作業では、監視装置を設置する場所とそれに伴うアドレス情報を事前に設計しておき、監視装置設置時には状態情報の送信先として予め決定された収集装置のアドレス情報を監視装置に設定する一方で、新たに配置する監視装置のアドレス情報を収集装置にも設定する。その上で、現地に配置した監視装置とセンターの収集装置との間で接続確認を行っている。このため、事前設計、アドレス情報の設定と接続確認に工数が費やされていた。
【０００６】
開示の装置及び方法は、ネットワークの状態監視システムにおける監視装置の配置作業の工数を低減することを目的とする。
【課題を解決するための手段】
【０００７】
装置の一観点による監視装置は、ネットワーク装置からネットワークの状態情報を取得する状態情報取得部と、監視装置によりアクセス可能なデータベースから、状態情報を収集する収集装置を識別する収集装置情報を取得する収集装置情報取得部と、収集装置情報に基づいて複数の収集装置の負荷情報を取得する負荷情報取得部と、負荷情報に基づいて複数の収集装置のうちいずれかを選択する収集装置選択部と、収集装置選択部により選択された収集装置へ監視装置を識別する監視装置情報を通知する監視装置情報通知部を備える。
【０００８】
方法の一観点によれば、ネットワーク状態を監視する監視装置と、監視装置から送信されるネットワークの状態情報を収集する収集装置の機器設定方法であって、監視装置によりアクセス可能なデータベースから、状態情報を収集する収集装置を識別する収集装置情報を取得する処理と、収集装置情報に基づいて複数の収集装置の負荷情報を取得する処理と、負荷情報に基づいて複数の収集装置のうちいずれかを選択する処理と、選択された収集装置を状態情報の送信先として記憶する処理と、選択された収集装置へ監視装置を識別する監視装置情報を通知する処理を監視装置に実行させる。
【発明の効果】
【０００９】
本件開示の装置又は方法によれば、ネットワークの状態監視システムにおける監視装置の配置作業の工数が低減される。
【図面の簡単な説明】
【００１０】
【図１】状態監視システムの全体構成例を示す図である。
【図２】監視装置のハードウエア構成の一例を示す図である。
【図３】収集装置のハードウエア構成の一例を示す図である。
【図４】管理装置のハードウエア構成の一例を示す図である。
【図５】分析装置のハードウエア構成の一例を示す図である。
【図６】状態監視システムの第１構成例を示す図である。
【図７】収集装置記憶テーブルの一例を示す図である。
【図８】監視装置テーブルの一例を示す図である。
【図９】収集装置登録テーブルの一例を示す図である。
【図１０】監視装置を設置する際の処理の第１例の説明図である。
【図１１】状態監視システムの第２構成例を示す図である。
【図１２】監視装置を設置する際の処理の第２例の説明図である。
【図１３】状態監視システムの第３構成例を示す図である。
【図１４】状態監視システムの第４構成例を示す図である。
【図１５】監視装置を設置する際の処理の第３例の説明図である。
【発明を実施するための形態】
【００１１】
以下、添付する図面を参照して本発明の実施例について説明する。図１は、状態監視システムの全体構成例を示す図である。状態監視システム１は、通信ネットワーク２上のネットワーク装置３ａ〜３ｅが保有する通信ネットワーク２の状態情報を収集し、収集された情報を分析することによって、通信ネットワーク２の品質や障害などの監視を行うシステムである。状態監視システム１は、保守ネットワーク４と、監視装置５ａ〜５ｅと、収集装置６ａ〜６ｃと、分析装置７と、管理装置８を備える。
【００１２】
なお、以下の説明において、ネットワーク装置３ａ〜３ｅを総称して「ネットワーク装置３」と表記することがある。また、監視装置５ａ〜５ｅを総称して「監視装置５」と表記することがある。また、収集装置６ａ〜６ｃを総称して「収集装置６」と表記することがある。
【００１３】
監視装置５、収集装置６及び管理装置８は、保守ネットワーク４に接続されており、保守ネットワーク４を介した通信を行うことが可能である。また収集装置６と分析装置７とは通信回線によって接続されており、収集装置６は分析装置７と通信を行うことが可能である。他の実施例では分析装置７も保守ネットワーク４に接続し、分析装置７が保守ネットワーク４を介した通信を行ってもよい。
【００１４】
監視装置５は、ネットワーク装置３から通信ネットワーク２の状態情報を取得する。状態情報は、例えば通信ネットワーク２上の転送時間やパケットロスの状態に関する情報であってよい。監視装置５は、例えば、ネットワークプローブ装置であってよい。監視装置５は、取得した状態情報を収集装置６へ送信する。収集装置６は、複数の監視装置５から収集した状態情報を分析装置７へ送信する。収集装置６は、例えば、ネットワークプローブ装置が取得した状態情報を収集する収集サーバ装置であってよい。分析装置７は、収集装置６によって収集された状態情報を処理することにより、通信ネットワーク２の状態の分析や障害の検出を行う。分析装置７は、例えば、データ集計処理サーバ装置であってよい。
【００１５】
管理装置８は、状態監視システム１内にて状態情報の収集を行う収集装置６の情報が格納された収集装置データベースを備えている。管理装置８は、監視装置５からの要求に応じて収集装置データベースに格納された収集装置６の情報を、監視装置５へ通知する。この収集装置６の情報は、監視装置５から送信される状態情報の送信先を一意に決定するための収集装置６の識別情報であってよい。このような識別情報は、例えば、保守ネットワーク４上のアドレス情報であってよい。以下の説明において、収集装置６の識別情報を「収集装置情報」と表記することがある。収集装置データベースについては後述する。
【００１６】
続いて、各構成要素のハードウエア構成を説明する。図２は、監視装置５のハードウエア構成の一例を示す図である。図２に示すハードウエア構成は、あくまで監視装置５を実現するハードウエア構成の一例である。本明細書に記載される監視装置５の処理を実行するものであれば他の構成が採用されてもよい。監視装置５は、ＣＰＵ１０、記憶装置１１、メモリ１２、ネットワークインタフェース１３及び１４、並びにデータバス１５を備える。
【００１７】
ＣＰＵ１０は、記憶装置１１に記憶されるプログラムを実行することにより、監視装置５の動作を制御するための各処理や、状態監視システム１において状態情報を収集するための監視装置５の機能を実現するための処理を実行する。また、ＣＰＵ１０は、記憶装置１１に記憶されるプログラムを実行することにより、監視装置５の設置時における監視装置５及び収集装置６の設定のための下記の処理を実行する。
【００１８】
記憶装置１１は、不揮発性メモリやハードディスクなどを記憶手段として含んでいてもよい。記憶装置１１には、ＣＰＵ１０に上記処理を実行させるプログラムが記憶される。また、記憶装置１１には、監視装置５による状態情報の送信先として選択された収集装置６の識別情報や、状態監視システム１内の収集装置６の収集装置情報が格納された収集装置記憶テーブルが記憶される収集装置格納データベースが記憶される。収集装置格納データベースについては後述する。
【００１９】
メモリ１２には、ＣＰＵ１０により実行される実行中のプログラムや、このプログラムによって一時的に使用されるデータが記憶される。メモリ１２は、読み出し専用メモリ（ROM: Read Only Memory）やランダムアクセスメモリ（RAM: Random Access Memory）を含んでいてよい。ネットワークインタフェース１３は、監視装置５とネットワーク装置３との間の信号の送受信処理を行う。ネットワークインタフェース１４は、保守ネットワーク４を経由する信号の送受信処理を行う。上記の構成要素１０〜１４は、データバス１５によって電気的に接続されている。
【００２０】
図３は、収集装置６のハードウエア構成の一例を示す図である。図３に示すハードウエア構成は、あくまで収集装置６を実現するハードウエア構成の一例である。本明細書に記載される収集装置６の処理を実行するものであれば他の構成が採用されてもよい。収集装置６は、ＣＰＵ２０、記憶装置２１、メモリ２２、ネットワークインタフェース２３及び２４、並びにデータバス２５を備える。
【００２１】
ＣＰＵ２０は、記憶装置２１に記憶されるプログラムを実行することにより、収集装置６の動作を制御するための各処理や、状態監視システム１において状態情報を収集するための収集装置６の機能を実現するための処理を実行する。また、ＣＰＵ２０は、記憶装置２１に記憶されるプログラムを実行することにより、新たな監視装置５の設置時における監視装置５及び収集装置６の設定のための下記の処理を実行する。
【００２２】
記憶装置２１は、不揮発性メモリやハードディスクなどを記憶手段として含んでいてもよい。記憶装置２１には、ＣＰＵ２０に上記処理を実行させるプログラムが記憶される。また、記憶装置２１には、収集装置６が収容する監視装置５、すなわち収集装置６によって収集される状態情報の送信元の監視装置５の識別情報が格納される監視装置データベースが記憶される。以下の説明において、監視装置５の識別情報を「監視装置情報」と表記することがある。
【００２３】
監視装置情報は、監視装置５を収容する収集装置６がこの監視装置５へ送信する各種命令信号の送信先を一意に決定するための識別情報であってよい。このような識別情報は、例えば、保守ネットワーク４上のアドレス情報であってよい。監視装置データベースについては後述する。
【００２４】
メモリ２２には、ＣＰＵ２０により実行される実行中のプログラムや、このプログラムによって一時的に使用されるデータが記憶される。メモリ２２は、読み出し専用メモリやランダムアクセスメモリを含んでいてよい。ネットワークインタフェース２３は、保守ネットワーク４を経由する送受信処理を行う。ネットワークインタフェース２４は、収集装置６と分析装置７との間の信号の送受信処理を行う。上記の構成要素２０〜２４は、データバス２５によって電気的に接続されている。
【００２５】
図４は、管理装置８のハードウエア構成の一例を示す図である。図４に示すハードウエア構成は、あくまで管理装置８を実現するハードウエア構成の一例である。本明細書に記載される管理装置８の処理を実行するものであれば他の構成が採用されてもよい。収集装置８は、ＣＰＵ３０、記憶装置３１、メモリ３２、ネットワークインタフェース３３及びデータバス３４を備える。
【００２６】
ＣＰＵ３０は、記憶装置３１に記憶されるプログラムを実行することにより、管理装置８の動作を制御するための各処理や、新たな監視装置５の設置時における監視装置５及び収集装置６の設定のための下記の処理を実行する。
【００２７】
記憶装置３１は、不揮発性メモリやハードディスクなどを記憶手段として含んでいてもよい。記憶装置３１には、ＣＰＵ３０に上記処理を実行させるプログラムが記憶される。また、記憶装置３１には収集装置データベースが記憶される。
【００２８】
メモリ３２には、ＣＰＵ３０により実行される実行中のプログラムや、このプログラムによって一時的に使用されるデータが記憶される。メモリ３２は、読み出し専用メモリやランダムアクセスメモリを含んでいてよい。ネットワークインタフェース３３は、保守ネットワーク４を経由する送受信処理を行う。上記の構成要素３０〜３３は、データバス３４によって電気的に接続されている。
【００２９】
図５は、分析装置７のハードウエア構成の一例を示す図である。図５に示すハードウエア構成は、あくまで分析装置７を実現するハードウエア構成の一例である。本明細書に記載される分析装置７の処理を実行するものであれば他の構成が採用されてもよい。分析装置７は、ＣＰＵ４０、記憶装置４１、メモリ４２、ネットワークインタフェース４３及びデータバス４５を備える。
【００３０】
ＣＰＵ４０は、記憶装置４１に記憶されるプログラムを実行することにより、分析装置７の動作を制御するための各処理や、状態監視システム１において状態情報を収集するための分析装置７の機能を実現するための処理を実行する。その他にもＣＰＵ４０は、記憶装置４１に記憶されるプログラムを実行することにより、下記に説明される分析装置７の処理を実行する。
【００３１】
記憶装置４１は、不揮発性メモリやハードディスクなどを記憶手段として含んでいてもよい。記憶装置４１には、ＣＰＵ４０に上記処理を実行させるプログラムが記憶される。
【００３２】
メモリ４２には、ＣＰＵ４０により実行される実行中のプログラムや、このプログラムによって一時的に使用されるデータが記憶される。メモリ４２は、読み出し専用メモリやランダムアクセスメモリを含んでいてよい。ネットワークインタフェース４３は、収集装置６と分析装置７との間の信号の送受信処理を行う。なお、ネットワークインタフェース４３は、保守ネットワーク４を経由する送受信処理を行ってもよい。上記の構成要素４０〜４３は、データバス４４によって電気的に接続されている。
【００３３】
続いて、上記のハードウエア構成によって実現される状態監視システム１の構成例を説明する。図６は、状態監視システム１の第１構成例を示す図である。図２に示す監視装置５のＣＰＵ１０は、記憶装置１１に記憶されるプログラムに従い、必要に応じて監視装置５の他のハードウエア要素との協調動作を行うことにより、図６に示す監視装置５の構成要素による情報処理を行う。同様に、図３に示す収集装置６のＣＰＵ２０は、記憶装置２１に記憶されるプログラムに従い、必要に応じて収集装置６の他のハードウエア要素との協調動作を行うことにより、図６に示す収集装置６の構成要素による情報処理を行う。また、図４に示す管理装置８のＣＰＵ３０は、記憶装置３１に記憶されるプログラムに従い、必要に応じて管理装置８の他のハードウエア要素との協調動作を行うことにより、図６に示す管理装置８の構成要素による情報処理を行う。他の実施例においても同様である。
【００３４】
なお、図６は、以下の説明に関係する機能を中心として示している。したがって、状態監視システム１の各装置５〜７は図示の構成要素以外の他の構成要素を含んでいてよい。
【００３５】
監視装置５は、状態情報取得部５０と、状態情報送信部５１と、収集装置格納データベース５２と、収集装置情報取得部６０と、負荷情報取得部６２と、収集装置選択部６３と、登録要求部６４を備える。添付する図面においてデータベースを「ＤＢ」と表記する。
【００３６】
収集装置６は、監視装置データベース７０と、状態情報受信部７２と、状態情報送信部７３と、負荷情報通知部７４と、監視装置登録部７５を備える。管理装置８は、収集装置データベース８０と、収集装置情報通知部８２を備える。以下、監視装置５、収集装置６及び管理装置８が備える各構成要素についてそれぞれ説明する。
【００３７】
〔監視装置５〕
状態情報取得部５０は、ネットワーク装置３から通信ネットワーク２に関する状態情報を取得する。状態情報送信部５１は、取得した状態情報を、収集装置格納データベース５２に記憶される送信先情報５３によって指定される収集装置６へ送信する。送信先情報５３は、送信先の収集装置６の収集装置情報であってよい。
【００３８】
収集装置格納データベース５２には、状態監視システム１内にて状態情報の収集を行う収集装置６の情報を記憶する収集装置記憶テーブル６１が格納されている。上述の通り、収集装置格納データベース５２は、図２に示す監視装置５の記憶装置１１に格納されてよい。図７は、収集装置記憶テーブル６１の一例を示す図である。例えば、収集装置記憶テーブル６１には状態監視システム１内にて状態情報の収集を行う全て又は一部の収集装置６の収集装置情報のリストが格納されていてよい。
【００３９】
図６を参照する。収集装置情報取得部６０は、状態監視システム１内の全て又は一部の収集装置６の収集装置情報を管理装置８から取得する。このとき、収集装置情報取得部６０は、収集装置情報を要求する収集装置情報要求信号を管理装置８へ送信する。収集装置情報要求信号を送信するための管理装置８の識別情報やアドレス情報は、監視装置５のオペレータによって入力されてもよく、又は予め記憶装置１１内に格納されていてもよい。
【００４０】
収集装置情報取得部６０は、収集装置情報要求信号に応答して管理装置８から送信される収集装置情報を受信し、収集装置記憶テーブル６１に格納する。例えば、収集装置情報通知部８２は、監視装置５のオペレータの操作によって収集装置情報の取得処理を行ってもよく、監視装置５を保守ネットワーク４に接続した場合に自動的に収集装置情報の取得処理を行ってもよい。
【００４１】
負荷情報取得部６２は、収集装置記憶テーブル６１に収集装置情報が格納された収集装置６のそれぞれから、収集装置６における処理負荷を示す負荷情報を取得する。負荷情報は、例えば収集装置６に収容される監視装置５の数、すなわち監視装置５の収容数であってよい。負荷情報として他の指標を使用してもよい。例えば負荷情報は、収集装置６のＣＰＵ２０の平均使用率や、ネットワークインタフェース２３や２４における平均トラヒック量であってもよい。
【００４２】
負荷情報を取得する際に負荷情報取得部６２は、負荷情報を要求する負荷情報要求信号をそれぞれの収集装置６へ送信する。負荷情報取得部６２は、負荷情報要求信号に応答して収集装置６からそれぞれ送信される負荷情報を受信する。負荷情報取得部６２は、受信した負荷情報を収集装置選択部６３へ出力する。
【００４３】
収集装置選択部６３は、負荷情報に基づいて状態情報の送信先の収集装置６を選択する。例えば、収集装置選択部６３は、負荷がより軽い収集装置６ほど高い優先度で選択される選択規則に従って送信先の収集装置６を選択してよい。収集装置選択部６３は、監視装置５の収容数がより少ない収集装置６ほど、負荷がより軽いと判断してよい。例えば、収集装置選択部６３は、監視装置５の収容数が最少の収集装置６を送信先の収集装置６として選択してよい。収集装置選択部６３は、選択した収集装置６の識別情報を送信先情報５３として収集装置格納データベース５２へ格納する。
【００４４】
登録要求部６４は、収集装置選択部６３によって選択された収集装置６に対し、収集装置６に収容される監視装置として本監視装置５を登録することを要求する登録要求信号を送信する。登録要求信号は、監視装置５の監視装置情報を含んでいてよい。登録要求部６４は、収集装置選択部６３によって選択された収集装置６へ監視装置情報を通知する監視装置情報通知部の一例である。
【００４５】
〔収集装置６〕
監視装置データベース７０には、収集装置６に収容される監視装置５の情報を記憶する監視装置テーブル７１が格納されている。上述の通り、監視装置データベース７０は、図３に示す収集装置６の記憶装置２１に格納されてよい。図８は、監視装置テーブル７１の一例を示す図である。例えば、収集装置テーブル７１には本収集装置６に収容される監視装置５の監視装置情報のリストが格納されていてよい。
【００４６】
図６を参照する。状態情報受信部７２は、監視装置５から送信される状態情報を受信する。例えば、状態情報受信部７２は、監視装置テーブル７１に記憶されている、収集装置６に収容される監視装置５に対して状態情報を要求する命令を送信することにより、監視装置５から状態情報を収集してよい。状態情報送信部７３は、監視装置５から受信した情報を分析装置７へ送信する。
【００４７】
負荷情報通知部７４は、監視装置５の負荷情報取得部６２から送信される負荷情報要求信号を受信する。負荷情報要求信号が受信されたとき負荷情報通知部７４は、収集装置６における処理負荷を示す負荷情報を監視装置５へ送信する。例えば負荷情報通知部７４は、監視装置テーブル７１に記憶されている、収集装置６に収容される監視装置５の収容数を判定し、収容数を示す負荷情報を生成してよい。
【００４８】
監視装置登録部７５は、監視装置５の登録要求部６４から送信される登録要求信号を受信する。登録要求信号が受信されたとき監視装置登録部７５は、登録要求信号を送信した監視装置５を、本収集装置６に収容される監視装置として監視装置データベース７０に登録する。すなわち監視装置登録部７５は、登録要求信号を送信した監視装置５の監視装置情報を監視装置テーブル７１内に格納する。
【００４９】
〔管理装置８〕
収集装置データベース８０には、状態監視システム１内にて状態情報の収集を行う収集装置６の情報を記憶する収集装置登録テーブル８１が格納されている。上述の通り、収集装置データベース８０は、図４に示す管理装置８の記憶装置３１に格納されてよい。図９は、収集装置登録テーブル８１の一例を示す図である。例えば、収集装置登録テーブル８１には状態監視システム１内にて状態情報の収集を行う全て又は一部の収集装置６の収集装置情報のリストが格納されていてよい。収集装置データベース８０は、監視装置５によりアクセス可能なデータベースの一例である。
【００５０】
図６を参照する。収集装置情報通知部８２は、監視装置５の収集装置情報取得部６０から送信される収集装置情報要求信号を受信する。収集装置情報要求信号が受信されたとき収集装置情報通知部８２は、収集装置登録テーブル８１に格納された全て又は一部の収集装置６の収集装置情報を監視装置５へ送信する。
【００５１】
続いて、監視装置５を状態監視システム１に追加する場合に状態監視システム１の各装置が行う処理について説明する。図１０は、監視装置５を設置する際の処理の第１例の説明図である。なお、他の実施態様において下記のオペレーションＡＡ〜ＡＪの各オペレーションは、ステップであってもよい。
【００５２】
オペレーションＡＡにおいて監視装置５の収集装置情報取得部６０は、収集装置情報要求信号を管理装置８へ送信する。オペレーションＡＢにおいて収集装置情報通知部８２は、収集装置登録テーブル８１に格納された収集装置情報を監視装置５へ送信する。収集装置情報取得部６０は、受信した収集装置情報を収集装置記憶テーブル６１に格納する。
【００５３】
オペレーションＡＣにおいて監視装置５の負荷情報取得部６２は、収集装置記憶テーブル６１に記憶されるいずれかの収集装置６ａに負荷情報要求信号を送信する。オペレーションＡＤにおいて負荷情報取得部６２は、この収集装置６ａの負荷情報通知部７４から送信される負荷情報を受信する。オペレーションＡＣ及びＡＤと同様に、オペレーションＡＥにおいて収集装置記憶テーブル６１に記憶される他の収集装置６ｃにも負荷情報要求信号を送信する。オペレーションＡＦにおいてこの収集装置６ｃの負荷情報通知部７４から送信される負荷情報を受信する。負荷情報取得部６２は、収集装置記憶テーブル６１に記憶される全ての又は一部の収集装置６についてオペレーションＡＣ及びＡＤを繰り返してよい。
【００５４】
オペレーションＡＧにおいて監視装置５の収集装置選択部６３は、負荷情報に基づいて状態情報の送信先の収集装置６を選択する。ここでは収集装置６ａが選択されたと想定する。オペレーションＡＨにおいて収集装置選択部６３は、選択された収集装置６ａの収集装置情報を送信先情報５３として収集装置格納データベース５２へ格納する。
【００５５】
オペレーションＡＩにおいて監視装置５の登録要求部６４は、収集装置６ａに対し、監視装置５を収容することを要求する登録要求信号を送信する。オペレーションＡＪにおいて収集装置６ａの監視装置登録部７５は、監視装置５を収集装置６ａに収容される監視装置として監視装置データベース７０に登録する。
【００５６】
本実施例によれば、監視装置５を状態監視システム１に設置するとき、監視装置５自身が、アクセス可能な収集装置データベース８０から収集装置６の収集装置情報を取得して、状態情報の送信先として設定する。また、収集装置６は、監視装置５から送信される監視装置情報を、収容する監視装置５の監視装置情報として設定する。このため従来行われていた、監視装置５及び収集装置６の識別情報の設定作業を省くことができる。
【００５７】
本実施例によれば、これらの設定処理が収集装置データベース８０に登録された収集装置６の収集装置情報に基づいて自動的に行われる。このため設定誤りが生じにくく、今まで行われていた監視装置５と収集装置６との間の接続確認が不要になるか、若しくは作業量を大幅に低減することができる。管理装置８の識別情報を固定すれば、収集装置情報の取得に使用する管理装置８の識別情報の設定誤りが生じにくくなる。また固定された管理装置８の識別情報を監視装置５に記憶させてしまえば、管理装置８の識別情報の設定も不要になる。
【００５８】
従来、監視装置５を設置する際には、オペレータは予め収集装置６の負荷等を測定するか計算しておき、負荷等の少ない収集装置６を監視装置５の収容先に選択していた。本実施例によれば、監視装置５が収容先の収集装置６を選択するので、従来オペレータが行っていた収容先の収集装置６の選択作業が不要になる。
【００５９】
続いて、状態監視システム１の他の実施例について説明する。図１１は、状態監視システム１の第２構成例を示す図である。図６に示す構成要素と同一の構成要素については同一の参照符号を付する。同一の参照符号が付された構成要素の動作は特に説明しない限り同じである。また、図１１に示す構成要素やその機能を他の実施例が備えていてもよい。なお、図１１は、以下の説明に関係する機能を中心として示している。したがって、状態監視システム１の各装置５〜７は図示の構成要素以外の他の構成要素を含んでいてよい。
【００６０】
監視装置５は、遅延測定部６５を備える。遅延測定部６５は、監視装置５が収集装置６に所定の応答信号を要求した場合において、応答信号が戻ってくるまでの遅延時間を測定する。応答信号は、例えば負荷情報であってよい。この場合、負荷情報取得部６２は、収集装置６に対して応答信号を要求する応答信号要求部の一例である。他の信号を応答信号として要求してよい。例えば応答信号はＰｉｎｇに対するエコーであってよい。
【００６１】
収集装置選択部６３は、負荷情報と応答信号の遅延時間とに応じた条件に従って、状態情報の送信先の収集装置６を選択する。例えば、収集装置選択部６３は、同程度の負荷の収集装置６が複数ある場合には、遅延時間がより少ない収集装置６ほど高い優先度で選択してよい。また、例えば、収集装置選択部６３は、同程度の負荷の収集装置６が複数ある場合には、負荷を遅延時間で重み付けした指標値に基づいて収集装置６を選択してもよい。
【００６２】
図１２は、監視装置５を設置する際の処理の第２例の説明図である。なお、他の実施態様において下記のオペレーションＢＡ〜ＢＬの各オペレーションは、ステップであってもよい。
【００６３】
オペレーションＢＡ〜ＢＤ、ＢＦ及びＢＧは、図１０のオペレーションＡＡ〜ＡＦの処理と同様である。オペレーションＢＥにおいて遅延測定部６５は、オペレーションＢＤにて受信した負荷情報の遅延時間を測定する。また、オペレーションＢＨにおいて遅延測定部６５は、オペレーションＢＧにて受信した負荷情報の遅延時間を測定する。遅延測定部６５は、収集装置記憶テーブル６１に記憶される全ての又は一部の収集装置６についてオペレーションＢＥを繰り返してよい。
【００６４】
オペレーションＢＩにおいて収集装置選択部６３は、負荷情報と応答信号の遅延時間に基づいて、状態情報の送信先の収集装置６を選択する。オペレーションＢＪ〜ＢＬの処理は、図１０のオペレーションＡＨ〜ＡＪの処理と同様である。
【００６５】
本実施例によれば、収集装置６を選択する条件に収集装置６の応答の遅延時間を加えることによって、監視装置５を収容する収集装置６間の負荷をより平準化することが可能となる。
【００６６】
続いて、状態監視システム１の他の実施例について説明する。図１３は、状態監視システム１の第３構成例を示す図である。図６に示す構成要素と同一の構成要素については同一の参照符号を付する。同一の参照符号が付された構成要素の動作は特に説明しない限り同じである。また、図１３に示す構成要素やその機能を他の実施例が備えていてもよい。
【００６７】
図５に示す分析装置７のＣＰＵ４０は、記憶装置４１に記憶されるプログラムに従い、必要に応じて分析装置７の他のハードウエア要素との協調動作を行うことにより、図１３に示す分析装置７の構成要素による情報処理を行う。なお、図１３は、以下の説明に関係する機能を中心として示している。したがって、状態監視システム１の各装置５〜７は図示の構成要素以外の他の構成要素を含んでいてよい。
【００６８】
分析装置７は、収集装置データベース９０と、状態情報受信部９２と、状態分析部９３と、収集装置情報登録部９４と、収集装置情報通知部９５を備える。一方で収集装置６は、登録要求部７６を備える。
【００６９】
分析装置７の収集装置データベース９０は、状態監視システム１内にて状態情報の収集を行う収集装置６の情報を記憶する収集装置登録テーブル９１が格納されている。収集装置データベース８０は、図５に示す分析装置７の記憶装置４１に格納されてよい。収集装置登録テーブル９１は、図９に示す収集装置登録テーブル８１と同様であってよい。
【００７０】
状態情報受信部９２は、収集装置６から送信される状態情報を受信する。分析装置７は、収集装置登録テーブル８１に記憶されている収集装置６に対して、状態情報を収集及び送信するための各種命令や情報を送信してよい。状態分析部９３は、収集された状態情報を分析することによって通信ネットワーク２の品質や障害を検出する。
【００７１】
収集装置６の登録要求部７６は、収集した状態情報を分析装置７へ送信する収集装置として、本収集装置６を登録することを要求する登録要求信号を送信する。登録要求信号は、収集装置６の収集装置情報を含んでいてよい。
【００７２】
分析装置７の収集装置情報登録部９４は、収集装置６の登録要求部７６から送信される登録要求信号を受信する。登録要求信号が受信されたとき収集装置情報登録部９４は、登録要求信号を送信した収集装置６を、分析装置７へ状態情報を送信する収集装置６として、収集装置データベース９０に登録する。すなわち収集装置情報登録部９４は、登録要求信号を送信した収集装置６の収集装置情報を収集装置登録テーブル９１内に格納する。
【００７３】
本実施例では、監視装置５の収集装置情報取得部６０は、収集装置６の収集装置情報を分析装置７から取得する。分析装置７の収集装置情報通知部９５は、監視装置５の収集装置情報取得部６０から送信される収集装置情報要求信号を受信する。収集装置情報要求信号が受信されたとき収集装置情報通知部９５は、収集装置登録テーブル９１に格納された全て又は一部の収集装置６の収集装置情報を監視装置５へ送信する。
【００７４】
本実施例によれば、状態情報を収集する収集装置６を管理するために分析装置７が管理する収集装置のデータベースから、収集装置情報を取得して監視装置５へ提供する。このため本実施例によれば、監視装置５への提供のために収集装置データベースを個別に設けたりメンテナンスする作業を省略することが可能となる。
【００７５】
続いて、状態監視システム１の他の実施例について説明する。従来の監視装置５の設置作業では、収集装置６に収容される監視装置５の情報を、オペレータが収集装置６へ設定していた。このため、オペレータが誤った場合を除き、オペレータが意図しない装置が収集装置６に収容される監視装置５として設定される可能性は低かった。
【００７６】
上記の実施例では、収集装置６は監視装置５からの登録要求信号に従って、収容する監視装置５を登録する。このためオペレータが意図しない装置が、収集装置６に収容される監視装置５として設定される可能性が発生する。以下の実施例では、収集装置６が監視装置５の認証を行うことによって、意図しない装置が、収集装置６に収容される監視装置５として設定される可能性を低減する。
【００７７】
図１４は、状態監視システム１の第４構成例を示す図である。図６に示す構成要素と同一の構成要素については同一の参照符号を付する。同一の参照符号が付された構成要素の動作は特に説明しない限り同じである。また、図１４に示す構成要素やその機能を他の実施例が備えていてもよい。なお、図１４は、以下の説明に関係する機能を中心として示している。したがって、状態監視システム１の各装置５〜７は図示の構成要素以外の他の構成要素を含んでいてよい。
【００７８】
監視装置５は、認証情報送信部６６を備える。一方で収集装置６は、認証部７７を備える。監視装置５の認証情報送信部６６は、登録要求部６４が監視装置５の収容を要求する登録要求信号を収集装置６に送信する場合に収集装置６へ認証情報を送信する。
【００７９】
収集装置６の認証部７７は、認証情報を受信して監視装置５の認証処理を実行し、監視装置５による収集装置６への接続可否を判断する。認証処理によって収集装置６への接続が許可された場合に、監視装置登録部７５は登録要求信号を受信し、監視装置５を、監視装置データベース７０に登録する。
【００８０】
図１５は、監視装置５を設置する際の処理の第３例の説明図である。なお、他の実施態様において下記のオペレーションＣＡ〜ＣＭの各オペレーションは、ステップであってもよい。
【００８１】
オペレーションＣＡ〜ＣＨは、図１０のオペレーションＡＡ〜ＡＨの処理と同様である。監視装置５の登録要求部６４が登録要求信号を送信する際に、オペレーションＣＩにおいて認証情報送信部６６は、認証情報を収集装置６ａへ送信する。オペレーションＣＪにおいて収集装置６ａの認証部７７は、監視装置５の認証処理を実行する。
【００８２】
認証が成功すると、オペレーションＣＫにおいて認証部７７は、監視装置５に許可信号を送信する。許可信号を受信した監視装置５の登録要求部６４は、オペレーションＣＬにおいて登録要求信号を収集装置６ａに送信する。オペレーションＣＭにおいて収集装置６ａの監視装置登録部７５は、監視装置５を監視装置データベース７０に登録する。
【００８３】
本実施例によれば、オペレータが意図しない装置が、収集装置６に収容される監視装置５として、収集装置６に設定される可能性を低減することができる。
【００８４】
以上の実施例を含む実施形態に関し、更に以下の付記を開示する。
（付記１）
監視装置であって、
ネットワーク装置からネットワークの状態情報を取得する状態情報取得部と、
前記監視装置によりアクセス可能なデータベースから、前記状態情報を収集する収集装置を識別する収集装置情報を取得する収集装置情報取得部と、
前記収集装置情報に基づいて複数の収集装置の負荷情報を取得する負荷情報取得部と、
前記負荷情報に基づいて前記複数の収集装置のうちいずれかを選択する収集装置選択部と、
前記収集装置選択部により選択された収集装置へ前記監視装置を識別する監視装置情報を通知する監視装置情報通知部と、
を備えることを特徴とする監視装置。
【００８５】
（付記２）
前記負荷情報は、前記収集装置へ前記状態情報を送信する他の収集装置の数を示すことを特徴とする付記１に記載の監視装置。
【００８６】
（付記３）
前記複数の収集装置に対して、応答信号を要求する応答信号要求部を備え、
前記収集装置選択部は、複数の前記収集装置の負荷量が所定範囲内であるとき、そのいずれかを前記応答信号の遅延時間に基づいて選択することを特徴とする付記１又は２に記載の監視装置。
【００８７】
（付記４）
監視装置と収集装置とを備える状態監視システムであって、
前記監視装置は、
ネットワーク装置からネットワークの状態情報を取得する状態情報取得部と、
前記監視装置によりアクセス可能なデータベースから、前記状態情報を収集する前記収集装置を識別する収集装置情報を取得する収集装置情報取得部と、
前記収集装置情報に基づいて複数の収集装置の負荷情報を取得する負荷情報取得部と、
前記負荷情報に基づいて前記複数の収集装置のうちいずれかを選択する収集装置選択部と、
前記収集装置選択部により選択された収集装置へ前記監視装置を識別する監視装置情報を通知する監視装置情報通知部と、を備え、
前記収集装置は、
該収集装置が収集する前記状態情報の送信元の前記監視装置を記憶する監視装置データベースと、
前記監視装置情報通知部により通知された監視装置情報が指定する監視装置を前記監視装置データベースに登録する監視装置登録部と、を備えることを特徴とする状態監視システム。
【００８８】
（付記５）
分析装置を更に備え、
該分析装置は、
前記収集装置により収集された前記状態情報を前記収集装置から受信する状態情報受信部と、
該分析装置が収集する前記状態情報の送信元の前記収集装置の収集装置情報を記憶する収集装置データベースと、
前記収集装置からの要求信号に応じて、前記収集装置データベースに前記収集装置情報を登録する収集装置情報登録部と、
前記収集装置データベースに記憶された収集装置情報を前記収集装置情報取得部へ通知する収集装置情報通知部と、
を備えることを特徴とする付記４に記載の状態監視システム。
【００８９】
（付記６）
前記監視装置は、認証情報を前記収集装置へ送信する認証情報送信部を備え、
前記収集装置は、前記認証情報に基づいて前記監視装置の認証処理を行う認証部と、を備え、
前記認証処理によって許可された監視装置のみ前記監視装置データベースに登録されることを特徴とする付記４又は５に記載の状態監視システム。
【００９０】
（付記７）
ネットワーク状態を監視する監視装置と、該監視装置から送信される前記ネットワークの状態情報を収集する収集装置の機器設定方法であって、
前記監視装置によりアクセス可能なデータベースから、前記状態情報を収集する収集装置を識別する収集装置情報を取得する処理と、
前記収集装置情報に基づいて複数の収集装置の負荷情報を取得する処理と、
前記負荷情報に基づいて前記複数の収集装置のうちいずれかを選択する処理と、
選択された前記収集装置を、前記状態情報の送信先として記憶する処理と、
前記選択された収集装置へ前記監視装置を識別する監視装置情報を通知する処理と、を前記監視装置に実行させることを特徴とする装置設定方法。
【符号の説明】
【００９１】
１    状態監視システム
２    通信ネットワーク
３、３ａ〜３ｅ    ネットワーク装置
４    保守ネットワーク
５、５ａ〜５ｅ    監視装置
６、６ａ〜６ｃ    収集装置
７    分析装置
８    管理装置
５０    状態情報取得部
６０    収集装置情報取得部
６３    収集装置選択部
６４    登録要求部
【図１】
0005724494.tif 000002
【図２】
0005724494.tif 000003
【図３】
0005724494.tif 000004
【図４】
0005724494.tif 000005
【図５】
0005724494.tif 000006
【図６】
0005724494.tif 000007
【図７】
0005724494.tif 000008
【図８】
0005724494.tif 000009
【図９】
0005724494.tif 000010
【図１０】
0005724494.tif 000011
【図１１】
0005724494.tif 000012
【図１２】
0005724494.tif 000013
【図１３】
0005724494.tif 000014
【図１４】
0005724494.tif 000015
【図１５】
0005724494.tif 000016